(57)【特許請求の範囲】
【請求項１】
日付の一の位を表示する第１の日付円板と、
日付の十の位を表示する第２の日付円板と、
前記第１の日付円板を回転駆動する日付駆動源と、
日付の表示を桁上げするときに、前記第１の日付円板と前記第２の日付円板を係合させて前記第１の日付円板の回転に伴って前記第２の日付円板を回転させる送り機構と、
明るさを検出する明暗センサと、
日付変更時刻に前記明暗センサが暗状態を検出していると前記日付駆動源を停止状態に保って日付送りを行わず、日付変更時刻又はそれ以降に前記明暗センサが明状態を検出すると前記日付駆動源を駆動して前記第１の日付円板を回転させることにより日付送りを行う駆動制御手段と、
を有することを特徴とするカレンダー装置。
【請求項２】
前記駆動制御手段は、日付変更時刻から設定時刻まで暗状態が続いていると、前記設定時刻に前記日付駆動源を駆動して前記第１の日付円板を回転させることにより日付送りを行うことを特徴とする請求項１記載のカレンダー装置。
【請求項３】
前記日付変更時刻は、時計又は標準電波信号に含まれる時刻データから得られる午前０時に設定されていることを特徴とする請求項１又は２記載のカレンダー装置。
【請求項４】
日付の一の位を表示する第１の日付円板と、
日付の十の位を表示する第２の日付円板と、
前記第１の日付円板を回転駆動する日付駆動源と、
日付の表示を桁上げするときに、前記第１の日付円板と前記第２の日付円板を係合させて前記第１の日付円板の回転に伴って前記第２の日付円板を回転させる送り機構と、
前記第１及び第２の日付円板の一方又は両方に設けられた原点を検出する検出手段と、
前記日付駆動源を駆動して前記第１の日付円板を回転させることにより日付送りを行い、月末における日付変更時に前記日付駆動源を駆動して前記第１の日付円板を回転させると共に前記検出手段により前記原点を検出して前記第１及び第２の日付円板による日付の表示状態を修正する駆動制御手段と、
を有することを特徴とするカレンダー装置。
【請求項５】
日付の一の位を表示する第１の日付円板と、
日付の十の位を表示する第２の日付円板と、
前記第１の日付円板を回転駆動する日付駆動源と、
日付の表示を桁上げするときに、前記第１の日付円板と前記第２の日付円板を係合させて前記第１の日付円板の回転に伴って前記第２の日付円板を回転させる送り機構と、
明るさを検出する明暗センサと、
前記第１及び第２の日付円板の一方又は両方に設けられた原点を検出する検出手段と、
日付変更時刻に前記明暗センサが暗状態を検出していると前記日付駆動源を停止状態に保って日付送りを行わず、日付変更時刻又はそれ以降に前記明暗センサが明状態を検出すると前記日付駆動源を駆動して前記第１の日付円板を回転させることにより日付送りを行い、月末における日付変更時に前記日付駆動源を駆動して前記第１の日付円板を回転させると共に前記検出手段により前記原点を検出して前記第１及び第２の日付円板による日付の表示状態を修正する駆動制御手段と、
を有することを特徴とするカレンダー装置。
【請求項６】
前記送り機構は、前記第１の日付円板の１回の日付送り分に対応する範囲に設けられたカム部と、表示位置における前記第１の日付円板の表示が「９」から「０」に移行するときに前記カム部に接触することで前記第２の日付円板に係合し該第２の日付円板を前記第１の日付円板の回転に応じて回転させる係合部と、を有することを特徴とする請求項１乃至５の一つに記載のカレンダー装置。
【請求項７】
曜日を表示する曜日円板と、
該曜日円板を回転駆動する曜日駆動源と、を有し、
該曜日駆動源により前記曜日円板を回転駆動することにより曜日を送ると共に修正することを特徴とする請求項１乃至６の一つに記載のカレンダー装置。
【発明の詳細な説明】
【０００１】
【発明の属する技術分野】
本発明は、円板を回転させることにより日付及び曜日を切換表示するカレンダー装置に関するものである。
【０００２】
【従来の技術】
従来、この種のカレンダー機構は、時計用ムーブメントに組み込まれており、「１」から「３１」までの日付の数字が設けられた日付円板と、「日」から「土」までの曜日が設けられた曜日円板を、時計の指針駆動輪列の回転により２４時間に一度日送りするように構成されていた。
【０００３】
この他、デジタル時計においては機械的な駆動部分がないため、液晶表示装置を使用したカレンダー表示を設けていた。また、電波修正時計においても、時刻の自動修正時に指針と共にカレンダーまで指針駆動輪列で修正駆動すると、自動修正に長時間を要したり、指針駆動部分に大きな負担がかかるため、通常、液晶表示装置を使用して日付と曜日を表示するカレンダー表示を設けていた。
【０００４】
【発明が解決しようとする課題】
上記のような時計用ムーブメントに組み込まれたカレンダー機構においては、月の末日が「３１」以外の月の末日における日送りを自動修正するには、指針を２日分回転させなければならないため時間がかかり、また、回路構成も煩雑になる。このため、通常は、手動で日付円板を回転させて修正するように構成されていた。
【０００５】
また、上記従来のカレンダー機構の動作を自動化する場合、カレンダー機構の駆動源としてモータや歯車等を用いることになるが、その作動時に音が発生する。通常、カレンダーの送りは、日付が変わる午前０時に行われる。このように周囲の騒音が少ない真夜中に日送りを行うと、その駆動時に発生する音の騒音レベルが同一であっても日中に比べて大きく感じられ、特に就寝時には耳障りと感じられることが多い。カレンダーを自動送りするには、このような駆動音に関する問題を解決することが必要であった。
【０００６】
また、カレンダー機構の動作を自動化した場合、モータや歯車等の駆動や噛み合いにズレが生じると、表示位置で数字が止まらないことがあり、表示品質が悪くなることがあった。
【０００７】
また、従来のカレンダー機構においては、１枚の日付円板に「１」から「３１」の日付が設けられていたため、表示が小さくなり、見づらいという問題もあった。
【０００８】
また、液晶表示装置を使用したカレンダー表示においては、円板に設けられた数字や文字に比べて表示が見づらく、見る角度や周囲の明るさによって著しく見づらくなることもあった。
【０００９】
本発明は、上記従来技術の課題に鑑みなされたもので、月末の修正や購入時の初期設定を自動化することを可能にし、耳障りな音の発生を抑え、表示品質を保ち、更に表示をより大きく見易くすることができるカレンダー装置を提供するものである。
【００１０】
【課題を解決するための手段】
本発明のカレンダー装置は、日付の一の位を表示する第１の日付円板と、日付の十の位を表示する第２の日付円板と、前記第１の日付円板を回転駆動する日付駆動源と、日付の表示を桁上げするときに、前記第１の日付円板と前記第２の日付円板を係合させて前記第１の日付円板の回転に伴って前記第２の日付円板を回転させる送り機構と、明るさを検出する明暗センサと、日付変更時刻に前記明暗センサが暗状態を検出していると前記日付駆動源を停止状態に保って日付送りを行わず、日付変更時刻又はそれ以降に前記明暗センサが明状態を検出すると前記日付駆動源を駆動して前記第１の日付円板を回転させることにより日付送りを行う駆動制御手段と、を有している。このカレンダー装置における前記駆動制御手段は、日付変更時刻から設定時刻まで暗状態が続いていると、前記設定時刻に前記日付駆動源を駆動して前記第１の日付円板を回転させることにより日付送りを行うものとなっている。また、このカレンダー装置における前記日付変更時刻は、時計又は標準電波信号に含まれる時刻データから得られる午前０時に設定されている。
【００１１】
また、本発明のカレンダー装置は、日付の一の位を表示する第１の日付円板と、日付の十の位を表示する第２の日付円板と、前記第１の日付円板を回転駆動する日付駆動源と、日付の表示を桁上げするときに、前記第１の日付円板と前記第２の日付円板を係合させて前記第１の日付円板の回転に伴って前記第２の日付円板を回転させる送り機構と、前記第１及び第２の日付円板の一方又は両方に設けられた原点を検出する検出手段と、前記日付駆動源を駆動して前記第１の日付円板を回転させることにより日付送りを行い、月末における日付変更時に前記日付駆動源を駆動して前記第１の日付円板を回転させると共に前記検出手段により前記原点を検出して前記第１及び第２の日付円板による日付の表示状態を修正する駆動制御手段と、を有している。
【００１２】
また、本発明のカレンダー装置は、日付の一の位を表示する第１の日付円板と、日付の十の位を表示する第２の日付円板と、前記第１の日付円板を回転駆動する日付駆動源と、日付の表示を桁上げするときに、前記第１の日付円板と前記第２の日付円板を係合させて前記第１の日付円板の回転に伴って前記第２の日付円板を回転させる送り機構と、明るさを検出する明暗センサと、前記第１及び第２の日付円板の一方又は両方に設けられた原点を検出する検出手段と、日付変更時刻に前記明暗センサが暗状態を検出していると前記日付駆動源を停止状態に保って日付送りを行わず、日付変更時刻又はそれ以降に前記明暗センサが明状態を検出すると前記日付駆動源を駆動して前記第１の日付円板を回転させることにより日付送りを行い、月末における日付変更時に前記日付駆動源を駆動して前記第１の日付円板を回転させると共に前記検出手段により前記原点を検出して前記第１及び第２の日付円板による日付の表示状態を修正する駆動制御手段と、を有している。
【００１３】
上記カレンダー装置において、前記送り機構は、前記第１の日付円板の１回の日付送り分に対応する範囲に設けられたカム部と、表示位置における前記第１の日付円板の表示が「９」から「０」に移行するときに前記カム部に接触することで前記第２の日付円板に係合し該第２の日付円板を前記第１の日付円板の回転に応じて回転させる係合部と、を有している。また、上記カレンダー装置は、曜日を表示する曜日円板と、該曜日円板を回転駆動する曜日駆動源と、を有し、該曜日駆動源により前記曜日円板を回転駆動することにより曜日を送ると共に修正するものとなっている。
【００１４】
【発明の実施の形態】
本発明のカレンダー装置においては、日付を表示する日付円板として、日付の一の位の数字（「０」から「９」）を表示する第１の日付円板と、日付の十の位の数字（「１」から「３」及び数字を形成する間隔を第１の日付円板と同一に設定したことによる空白部２スペース）を表示する第２の日付円板を用いている。このように日付の一の位と十の位の数字をそれぞれ別の日付円板に設けることにより、数字をより大きく表示して見易くすることができる。この第１及び第２の日付円板は、単一の日付駆動源により回転駆動されている。即ち、駆動頻度が高い第１の日付円板は日付駆動源により直接駆動され、第２の日付円板は送り機構により桁上げ時にのみ第１の日付円板の回転に伴って回転する。この送り機構は、表示位置における第１の日付円板の表示が「９」から「０」に移行するときに、カム部の作用で第２の日付円板に係合部を係合させ、これにより第１の日付円板と第２の日付円板を一体化し、共に回転させている。
【００１５】
また、このカレンダー装置には、明暗センサと、日付駆動源を制御する駆動制御手段が設けられている。この駆動制御手段は、日付を変更する午前０時に明暗センサが明状態を検出していると日付駆動源を駆動して第１の日付円板を回転させて日送りを行う。また、午前０時に明暗センサが暗状態を検出していると、その後、明状態を検出したとき又は設定時刻（例えば午前９時）になったときに日付駆動源を駆動して日送りを行う。これにより、就寝時に日送りが行われることがなく、日送りの際に発生する音が耳障りと感じることがない。
【００１６】
更に、カレンダー装置には、第１の日付円板に設けられた原点を検出する検出手段が設けられている。そして、駆動制御手段は、月末における日付変更時に検出手段により第１の日付円板に設けた原点を検出して表示状態の修正を行っている。これにより、モータの動作や歯車の噛み合いのズレを修正して表示品質を常に良い状態に保つことができる。また、第２の日付円板に設けた原点やモータの基点も合わせて検出することにより、より細かく各部の状態を検出し、修正することが可能となる。
【００１７】
また、曜日を表示する曜日円板を設け、これを曜日駆動源で回転駆動する構成も設けている。
【００１８】
【実施例】
以下、図面に基いて本発明の実施例を説明する。図１は本発明の一実施例に係るカレンダー装置の各円板とその駆動手段の構造を示す透視正面図、図２はその表示状態を示す正面図、図３はその断面図、図４は図３に示す送り機構部分を示す断面部分図、図５は図３に示す各円板の位置検出手段部分を示す断面部分図、図６は図３に示すモータの回転検出手段部分を示す正面部分図、図７はその断面部分図、図８はカレンダー装置の回路構成図、図９はカレンダー装置を時計に組み込んだときの外観図である。尚、図１は構成部品の輪郭や要部のみを図示している。
【００１９】
２は日付の一の位の数字「０」から「９」が設けられた第１の日付円板、４は日付の十の位の数字「１」から「３」及び数字を形成する間隔を第１の日付円板２と同一に設定したことによる空白部２スペースが設けられた第２の日付円板、６は曜日を示す文字「日」から「土」が設けられた曜日円板であり、受け板８により回動自在に支持されている。
【００２０】
即ち、第１の日付円板２は、最も外側の表面に設けられ且つ数字「０」から「９」が一定の間隔（中心の角度で３６°の間隔）で形成されているリング状の表示部２ａと、この表示部２ａよりも内側に設けられ前方に凸状に突出するリング状の支持部２ｂを有している。また、この第１の日付円板２の内周壁には、内歯状に形成された歯部２ｃが設けられている。この歯部２ｃは、後述する日付駆動源により４つ（４クリック）送られると第１の日付円板２が３６°回転して１日分表示を送ることになる。また、この第１の日付円板２は、受け板８の中央に設けられた支持部８ａの円筒部８ｂ及びこの円筒部８ｂの外周面から外方に突出する円板部８ｃにより回動自在に支持されている。
【００２１】
また、第２の日付円板４は、前方に凸状に突出し、その表面に数字「１」から「３」及び空白部が２スペース形成され且つ第１の日付円板２の支持部２ｂに遊びをもって外嵌するリング状の表示部４ａと、外周部分に設けられた孔、切欠等を有する被係合部４ｂとを有している。この第２の日付円板４は、第１の日付円板２の支持部２ｂ上に載ると共に受け板８の円筒部８ｂにより回動自在に支持されている。また、この第２の日付円板４の表示部４ａに形成されている数字は、第２の日付円板４の回転中心と第１の日付円板２の回転中心を同軸に配置すると共に、第１の日付円板２の回転に合せて第２の日付円板４を回転するように設定しているため、数字を形成する間隔を第１の日付円板２と同一に設定している。この結果、１０の領域に３つの数字「１」から「３」を割り付けることになり、数字「１」から「３」を２組形成し、その間に２つずつ空白部を形成している。尚、この数字の配列は一例であり、回転制御の仕方によって変更可能である。例えば、数字「１」から「３」を３組と空白部を１つ設ける等の配列も可能である。
【００２２】
更に、曜日円板６は、曜日を示す文字「日」から「土」が一定の間隔で形成されているリング状の表示部６ａと、その裏面側に突出すると共に径方向に係合するように設けられた歯部６ｂを有している。この曜日円板６は、受け板８の支持部８ａの中央軸部８ｄとその外周面から外方に突出する円板部８ｅにより回動自在に支持されている。
【００２３】
上述した第１及び第２の日付円板２，４と曜日円板６は、本実施例においては同一中心軸に関して回転するように支持されており、図２に示すように、これらの円板の表面側に設けられている時計用文字板や装飾板等に設けられた表示窓１０の位置（表示位置）にある数字や文字により日付と曜日を表示するものとなっている。
【００２４】
１２は日付モータであり、１４は曜日モータである。この日付モータ１２と曜日モータ１４の回転軸には、それぞれ日付送り爪１２ａと曜日送り爪１４ａが取り付けられている。この日付送り爪１２ａは第１の日付円板２の歯部２ｃに係合し、曜日送り爪１４ａは曜日円板６の歯部６ｂに係合して、それぞれ１クリックずつ送ることができるものとなっている。
【００２５】
１６は日付を桁上げするときに第１の日付円板２と第２の日付円板４を係合させて一体に回転させる送り機構である。この送り機構１６は、図１、図３及び図４に示すように、第１の日付円板２の支持部２ｂ内に収納され且つ支持部２ｂの内外側壁の孔等によって摺動自在に支持されバネ１６ａにより径方向（本実施例では内方）に付勢されている係合部としての係合ピン１６ｂと、この係合ピン１６ｂが付勢されている方向（本実施例では係合ピン１６ｂより内側）の受け板８上に設けられており且つ係合ピン１６ｂの一方（内側）の端部に接触して係合ピン１６ｂをバネ１６ａに抗して径方向（外方）に移動させるカム部１６ｃと、を有している。このカム部１６ｃは、第１の日付円板２の表示部２ａに形成されている数字「９」が表示窓１０の位置に達して表示されると係合ピン１６ｂに接触し、表示部２ａに形成されている数字が「０」に移行して数字「０」が表示されると非接触状態となるように形成されている。また、上記のように係合ピン１６ｂがカム部１６ｃに接触するときに、係合ピン１６ｂに対向する位置に第２の日付円板４の被係合部４ｂが位置し係合するように設定されている。
【００２６】
図１、図３及び図５に示す１８，２０，２２は第１の日付円板２、第２の日付円板４及び曜日円板６のそれぞれの基準位置を検出するための第１の日付位置検出手段、第２の日付位置検出手段及び曜日位置検出手段である。第１の日付位置検出手段１８は、図５に示すように第１の日付円板２に設けられた原点としての突起に接触して機械的に検出するスイッチや非接触で検出を行うセンサからなり、本実施例においては、表示部２ａの数字「８」が表示窓１０から表示されたときに検出するように設定されている。また、第２の日付位置検出手段２０は、図５に示すように非接触で検出する反射型フォトインターラプタ等からなり、第１の日付円板２に設けられた貫通孔２ｄ（図５）を介して第２の日付円板４裏面の原点としての特定部分を検出するものであり、本実施例においては２番目の空白部を検出するように設定されている。更に、曜日位置検出手段２２は、図５に示すように曜日円板６の歯部６ｂに接触して機械的に検出するスイッチや非接触で検出を行うセンサからなり、歯部６ｂの通過を検出するものとなっている。
【００２７】
図１、図３、図６及び図７に示す２４，２６は日付モータ１２と曜日モータ１４の回転による送りを検出する日付モータ検出手段と曜日モータ検出手段である。この日付モータ検出手段２４と曜日モータ検出手段２６は、図６及び図７に示すように日付送り爪１２ａと曜日送り爪１４ａにそれぞれ接触して機械的に検出するスイッチや非接触で検出するセンサからなる。
【００２８】
図８に示す３０は駆動制御手段であり、マイクロコンピュータからなる時計ＩＣ３２及びカレンダー制御ＩＣ３４を有している。この駆動制御手段３０は、日付モータ１２とその駆動回路としてのトランジスタ３６からなる日付駆動源３８と、曜日モータ１４とその駆動回路としてのトランジスタ４０からなる曜日駆動源４２の動作を制御するものである。この駆動制御手段３０には、前述した第１の日付位置検出手段１８、第２の日付位置検出手段２０、曜日位置検出手段２２、日付モータ検出手段２４及び曜日モータ検出手段２６が接続されている。尚、ここで図示する検出手段１８〜２６は、発光素子１８ａ〜２６ａからそれぞれ被検出部分に光を照射し、その反射光を受光素子１８ｂ〜２６ｂでそれぞれ受光することにより非接触で検出を行うセンサで構成している。また、駆動制御手段３０とトランジスタ３６，４０、発光素子１８ａ〜２６ａとの間にはそれぞれバッファ回路Ｂ１〜Ｂ７が設けられている。
【００２９】
図８に示す４４はＣＤＳ等からなる明暗センサである。この明暗センサ４４は、カレンダー装置の周囲の明るさを検出して駆動制御手段３０に検出信号を印加するものとなっている。
【００３０】
また、本実施例においては、時刻情報及びカレンダー情報を含む標準電波信号を受信して時刻情報及びカレンダー情報を得ることにより、所定時刻に日送り、曜日送り、月末送りを行うように構成している。即ち、標準電波信号を受信して駆動制御手段３０に受信信号を供給する受信回路４６を設けている。また、受信回路４６が受信した信号から得られる時刻情報及びカレンダー情報を用いてカレンダー制御ＩＣ３４が駆動制御するだけでなく、その時刻情報及びカレンダー情報を用いて時計ＩＣ３２にて時刻を計時してムーブメントの指針駆動機構からなる時刻表示手段４８を駆動して時刻を表示すると共にカレンダーを演算するように設定している。尚、図８に示すように、時計ＩＣ３２とカレンダー制御ＩＣ３４を必ずしも別々に設ける必要はないものであり、各機能を一体化した単体のＩＣを用いることもできる。
【００３１】
また、本実施例においては、日修正スイッチ、曜修正スイッチ、モニタスイッチ、リセットスイッチ、時刻修正スイッチ等を含んだスイッチ５０，５２が設けられ、それぞれ駆動制御手段３０に接続されている。
【００３２】
次に、上記構成からなるカレンダー装置の動作を説明する。はじめに、このカレンダー装置における第１及び第２の日付円板２，４と曜日円板６の回転動作について説明する。このカレンダー装置においては、日付モータ１２と曜日モータ１４にそれぞれ信号を供給して作動させることにより第１及び第２の日付円板２，４と曜日円板６を回転させることができる。即ち、日付モータ１２が作動し、その日付送り爪１２ａで第１の日付円板２の歯部２ｃを１枚ずつ送り、４クリックで表示部２ａの数字を次の数字に送ること（１日分の日送り）になる。このときに、日付の桁上げが行われない表示状態であると、送り機構１６の係合ピン１６ｂとカム部１６ｃが接触することはなく、第２の日付円板４は停止した状態に保たれる。
【００３３】
また、上記のように第１の日付円板２が回転して１日分の日送りが行われたときに、表示部２ａの数字が「９」から「０」に移行して桁上げを行う状態になると、このときに送り機構１６の係合ピン１６ｂの一端がカム部１６ｃに接触し（図１中矢印Ａの位置における状態）、第２の日付円板４の被係合部４ｂの方向に他端を押し出す。これにより、係合ピン１６ｂの他端が被係合部４ｂの孔、切欠等に係合し、第２の日付円板４は第１の日付円板２と一体となって回転することになる。このため、表示窓１０における日付の一の位が「９」から「０」に移行し、このときに日付の十の位が空白部から「１」、又は「１」から「２」、又は「２」から「３」、又は「３」から空白部、又は空白部から空白部に移行することになる。
【００３４】
このような桁上げが終了し、日付の一の位が「０」の表示になると、送り機構１６の係合ピン１６ｂはカム部１６ｃから外れ（図１中矢印Ｂの位置における状態）、バネ１６ａにより第２の日付円板４の被係合部４ｂから引き戻される。これにより、第２の日付円板４と第１の日付円板２との係合状態は解除され、その後第１の日付円板２が回転しても第２の日付円板４は停止状態を維持することになる。
【００３５】
一方、曜日円板６は、曜日モータ１４が作動してその曜日送り爪１４ａにより歯部６ｂが３クリック送られると、表示部６ａの曜日を次の曜日に送ることになる。
【００３６】
次に、上記カレンダー装置における第１及び第２の日付円板２，４と曜日円板６の駆動制御を図１０乃至図１４に示すフローチャートに基づいて説明する。はじめに、リセットスイッチを操作するか又は電池等の電源を投入すると（ステップＳＴ１）、ステップＳＴ２にて受信回路４６が受信した標準電波信号から時刻情報及びカレンダー情報を駆動制御手段３０が取り込む。そして、ステップＳＴ３にて日付モータ１２及び曜日モータ１４を作動させて第１及び第２の日付円板２，４と曜日円板６を回転させる。このときに、第１及び第２の日付位置検出手段１８，２０、曜日位置検出手段２２からの信号により、各円板に設けた原点を検索する。そして、原点から受信したカレンダー情報に対応する表示に移行させるために必要な数のパルス等からなる駆動信号を駆動制御手段３０が日付駆動源３８と曜日駆動源４２に供給して、日付モータ１２と曜日モータ１４を駆動する。このときに日付モータ検出手段２４と曜日モータ検出手段２６から得られるモータの駆動回数から各円板の駆動状態を検出して停止させ、ステップＳＴ４のスタンバイ状態に移行する。
【００３７】
その後、時計ＩＣ３２による計時又は受信した信号から毎正時等に時刻信号の割り込みが行われ、駆動制御手段３０はスタンバイ状態から作動状態になる（ステップＳＴ５）。ここで駆動制御手段３０は、明暗センサ４４による明るさの検出が明・暗の何れであるか判断する（ステップＳＴ６）。このときに明状態であると判断すると、ステップＳＴ７にて午前０時であるか判断し、午前０時である場合にはステップＳＴ８にてカレンダー送りを行う。このように周囲が明状態である場合、午前０時であっても使用者が就寝していないと考えられるため、各円板を駆動する音が発生しても耳障りと感じることがほとんどないため、カレンダー送りをそのまま行っている。
【００３８】
一方、ステップＳＴ６にて暗状態であると判断すると、ステップＳＴ９にて午前０時であるか判断し、午前０時である場合には、日送り状態、即ち１日送り、月末送り等の状態をカレンダー制御ＩＣ３４にセットするだけで、実際にモータを駆動して各円板を回転させることなくスタンバイ状態へ移行する（スタンバイＳＴ１０）。そして、その後、毎正時にステップＳＴ６にて明・暗状態が判断されて暗状態が続いているときに、設定時刻（例えば午前９時）になると、ステップＳＴ１１にて午前９時になったことが判断され、ステップＳＴ１２にて日送りを行うか判断する。ここで日送りを判断するのは、後述するように、暗状態から明状態になったときにも日送りを行うので、既に日送りが行われていることがあるためである。そして、日送りを行う場合には、ステップＳＴ１３にて日付モータ１２及び曜日モータ１４を駆動して、第１及び第２の日付円板２，４と曜日円板６を回転させてカレンダー送りを行う。このように、周囲が暗状態の場合、午前０時には使用者が就寝していると考えられるため、各円板を駆動する音が発生すると耳障りに感じられる。従って、この場合にはカレンダー送りを行わず、午前９時等、深夜に比べて音が気にならなくなる時刻にカレンダー送りを行っている。
【００３９】
また、駆動制御手段３０は、スイッチ操作が行われたか判断し（ステップＳＴ１４）、スイッチ操作が行われていない場合には、ステップＳＴ１５にて明暗センサ４４の検出状態が暗状態から明状態になったか判断する。ここで、暗状態から明状態に周囲の明るさが変わっていると、ステップＳＴ１６にて日送りを行うか判断する。そして、前述したように午前９時に日送りが行われる前であれば日送りが必要であると判断し、ステップＳＴ１７にて日付モータ１２及び曜日モータ１４を駆動して、第１及び第２の日付円板２，４と曜日円板６を回転させてカレンダー送りを行う。このように、午前０時にカレンダー送りが行われなくても、その後、使用者が起床する等によって周囲が明るくなったときにカレンダー送りが行われる。このため、駆動音が耳障りと感じることはなく、またカレンダー表示も切り換わるため、使用者は正確な表示を見ることができる。
【００４０】
尚、ステップＳＴ１４にてスイッチ操作が行われていると判断すると、図１１に示すステップＳＴ１８にて明暗センサ４４の検出状態を判断し、明状態と判断すると、ステップＳＴ１９〜ＳＴ２１にて日修正スイッチ、曜修正スイッチ、モニタスイッチが操作されたか順次判断して、操作されている場合にはステップＳＴ２２〜ＳＴ２４にて日送り、曜日送り、モニタ動作を行う。また、自動受信が行われると、ステップＳＴ２５にて自動受信を行うことが判断され、ステップＳＴ２６にて受信が成功したか判断し、受信が成功した場合にはステップＳＴ２８にて受信した時刻情報及びカレンダー情報を設定し、受信が成功しなかった場合にはステップＳＴ２７にて時刻修正がスイッチ操作等で行われたか判断する。その後、設定された時刻情報及びカレンダー情報に基づいて日送りを行うかステップＳＴ２９にて判断し、日送りが必要な場合にはステップＳＴ３０にて日付モータ１２と曜日モータ１４を駆動して第１及び第２の日付円板２，４と曜日円板６を回転させてカレンダー送りを行う。
【００４１】
上述した動作中のカレンダー送りは、図１２及び図１３に示す動作フローに基づいて行われている。即ち、１日分の日送りは、前述したように、日付モータ１２を４回駆動して第１の日付円板２の歯部２ｃを４枚送ることにより行われる。このため、駆動制御手段３０は、ステップＳＴ１０１にて駆動信号を出力し、ステップＳＴ１０２にて日付モータ１２を４回駆動したか判断して１日分の日付送りを行う。また、曜日送りは、前述したように、曜日モータ１４を３回駆動して曜日円板６の歯部６ｂを３枚送ることにより行われる。このため、駆動制御手段３０はステップＳＴ２０１にて駆動信号を出力し、ステップＳＴ２０２にて曜日モータ１４を３回駆動したか判断して曜日送りを行う。
【００４２】
また、本実施例においては、上述した動作中のカレンダー送りにおいて月末の日送りを行う場合に、各円板に設けた原点を検出することで表示状態を正確な状態に保つように設定している。即ち、図１４に示す動作フローのように、ステップＳＴ３０１にて駆動制御手段３０から日付モータ１２と検出手段１８，２０，２４に原点検索用の出力信号を出力する。これにより日付モータ１２を作動させて第１及び第２の日付円板２，４を回転させながらその原点を第１及び第２の日付位置検出手段１８，２０で検出する。そして、ステップＳＴ３０２にて第１の日付円板２の原点が検出できたか判断し、検出できた場合にはステップＳＴ３０３にて第２の日付円板４の原点が検出できたか判断する。そして、この第２の日付円板４の原点も検出できた場合、ステップＳＴ３０４にて日付モータ１２の駆動回数から基点にあるか判断する。これにより第１及び第２の日付円板２，４とそれを駆動する日付モータ１２の位置を正しい状態に修正することができる。ここで第１の日付円板２の原点を「１」が表示位置にあるときに検出するように設定し、第２の日付円板４の原点を空白が表示位置にあるときに検出するように設定すれば、原点検出と同時に月末の日送りを行うことができる。
【００４３】
また、上記と同様にして曜日円板６とそれを駆動する曜日モータ１４の原点及び基点も検出すれば、全ての可動部分の位置を月末送り時に正しい位置に修正することができる。一方、第１及び第２の日付円板２，４は連動するものであるため、その一方に原点を設けてその回転を検出するようにしても良い。
【００４４】
【発明の効果】
本発明によれば、日付円板及び曜日円板を駆動する駆動源をそれぞれ設けて、駆動信号を供給するだけで表示状態を修正することができるので、電源投入時の初期設定や月末の修正を全て自動的に行うように構成することができる。
【００４５】
また、午前０時等の深夜就寝時に、日付円板等を駆動する音が発生しないように、周囲の明暗に応じてカレンダー送りを行う時刻を変えているので、駆動音が発生しても就寝時等に比べて耳障りと感じることがない。
【００４６】
また、月末に日送りを行うときに、第１及び第２の日付円板の原点を検出することにより、モータの駆動や歯車の噛み合いのズレによる表示の位置ズレを防ぐことができ、表示品質を常に良い状態に保つことができる。
【００４７】
また、日付の一の位と十の位の数字を別個の円板で表示し、しかも単一の駆動源で両円板を回転させているので、駆動源を増やすことなく、日付を一の位と十の位に分けて表示することができ、各数字の表示を大きく見易くすることができる。
【図面の簡単な説明】
【図１】本発明の一実施例に係るカレンダー装置の内部構造を示す透視正面図である。
【図２】図１に示すカレンダー装置の表示状態を示す正面図である。
【図３】図１に示すカレンダー装置の断面図である。
【図４】図３に示すカレンダー装置の送り機構部分を示す断面部分図である。
【図５】図３に示すカレンダー装置の各円板の位置検出手段部分を示す断面部分図である。
【図６】図３に示すカレンダー装置のモータの回転検出手段部分を示す正面部分図である。
【図７】図３に示すカレンダー装置のモータの回転検出手段部分を示す断面部分図である。
【図８】本発明のカレンダー装置の回路構成図である。
【図９】本発明のカレンダー装置を時計に組み込んだときの時計の正面図である。
【図１０】図８に示すカレンダー装置の動作を示すフローチャートである。
【図１１】図８に示すカレンダー装置の動作を示すフローチャートである。
【図１２】図１０におけるカレンダー送りの動作を示すフローチャートである。
【図１３】図１０におけるカレンダー送りの動作を示すフローチャートである。
【図１４】図１０におけるカレンダー送りの月末における動作を示すフローチャートである。
【符号の説明】
２              第１の日付円板
４              第２の日付円板
６              曜日円板
８              受け板
１０            表示窓
１２            日付モータ
１４            曜日モータ
１６            送り機構
１８            第１の日付位置検出手段
２０            第２の日付位置検出手段
２２            曜日位置検出手段
２４            日付モータ検出手段
２６            曜日モータ検出手段
３０            駆動制御手段
３８            日付駆動源
４２            曜日駆動源
４４            明暗センサ
【図１】
0003636131.tif 000002
【図２】
0003636131.tif 000003
【図３】
0003636131.tif 000004
【図４】
0003636131.tif 000005
【図５】
0003636131.tif 000006
【図６】
0003636131.tif 000007
【図７】
0003636131.tif 000008
【図８】
0003636131.tif 000009
【図９】
0003636131.tif 000010
【図１０】
0003636131.tif 000011
【図１１】
0003636131.tif 000012
【図１２】
0003636131.tif 000013
【図１３】
0003636131.tif 000014
【図１４】
0003636131.tif 000015